(57)【要約】ＩＰマルチキャストネットワークを通じて伝送ストリームのバンドルの形式で受信したマルチメディアサービスに関する少なくとも１の申し込みを放送するための方法であって、申し込み（申し込み１，申し込み２）のそれぞれについて、ＩＰマルチキャストネットワーク内の決められたサービスプロバイダ申し込み局（ＬＮ0,1，ＬＮ0,2）を属性付けること、および、申し込みのそれぞれについて、当該申し込みが属するサービスプロバイダ申し込み局に対する関係を記述する申し込み情報（７０１）のファイルを生成することを有する。申し込みのそれぞれについて伝送ストリーム情報がバンドルから抽出され、伝送ストリーム情報は、伝送ストリームごとに伝送ストリーム標識（ＴＳ1,1−ＴＳ1,4，ＴＳ2,1−ＴＳ2,3）を有している。伝送ストリーム標識は、それぞれ、ＩＰマルチキャストネットワーク内の決められたストリーム局（ＬＮ1,1−ＬＮ1,4，ＬＮ2,1−ＬＮ2,3）に属性付けられる。申し込みは、それぞれ、属するストリーム局に対する関係を伝送ストリームごとに記述するストリーム情報（７０２，７０３）のファイルに生成される。
2005531178.tif 000002
【特許請求の範囲】
【請求項１】
ＩＰマルチキャストテレビネットワークにおける発見情報を分配する方法であって、
サービスプロバイダ申し込み（申し込み１，申し込み２）の記述およびＩＰマルチキャストネットワーク内のサービスプロバイダ申し込み局（ＬＮ0,1，ＬＮ0,2）を結び付ける申し込み情報（７０１）をマルチキャストすること、および
マルチサービス伝送ストリーム（ＴＳ1,1−ＴＳ1,4，ＴＳ2,1−ＴＳ2,3）およびＩＰマルチキャストネットワーク内のストリーム局（ＬＮ1,1−ＬＮ1,4，ＬＮ2,1−ＬＮ2,3）を結び付けるストリーム情報（７０２，７０３）を前記サービスプロバイダ申し込み局においてマルチキャストすることを有することを特徴とする方法。
【請求項２】
前記申し込みおよびストリーム情報は、それぞれ周期的にマルチキャストされることを特徴とする請求項１記載の方法。
【請求項３】
ＩＰマルチキャストネットワークを通じて伝送ストリームのバンドルの形式で受信したマルチメディアサービスに関する少なくとも１の申し込みを放送するための方法であって、
申し込み（申し込み１，申し込み２）のそれぞれについて、ＩＰマルチキャストネットワーク内の決められたサービスプロバイダ申し込み局（ＬＮ0,1，ＬＮ0,2）を属性付けること、
申し込みのそれぞれについて、当該申し込みが属するサービスプロバイダ申し込み局に対する関係を記述する申し込み情報（７０１）のファイルを生成すること、
伝送ストリームごとに伝送ストリーム標識（ＴＳ1,1−ＴＳ1,4，ＴＳ2,1−ＴＳ2,3）を具備する伝送ストリームのバンドルから伝送ストリーム情報を申し込みのそれぞれについて抽出すること、
伝送ストリーム標識のぞれぞれについて、ＩＰマルチキャストネットワーク内の決められたストリーム局（ＬＮ1,1−ＬＮ1,4，ＬＮ2,1−ＬＮ2,3）を属性付けること、および
伝送ストリームごとに伝送ストリームが属するストリーム局に対する関係を記述するストリーム情報（７０２，７０３）のファイルを申し込みのそれぞれについて生成することを有することを特徴とする放送方法。
【請求項４】
申し込みのそれぞれについて、前記申し込み情報のファイルにおけるサービスプロバイダ申し込み記述を加えることを特徴とする請求項３記載の放送方法。
【請求項５】
前記伝送ストリームのバンドルから伝送ストリーム情報を抽出することは、伝送ストリームのそれぞれについて、前記伝送ストリームが以前配信されるのに用いられたネットワークについてのもとのネットワークＩｄを抽出することを含み、
前記ストリーム情報のファイルにおける伝送ストリームに関する前記もとのネットワークＩｄを挿入することをさらに有することを特徴とする請求項３または４記載の放送方法。
【請求項６】
伝送ストリームのそれぞれについて、一致するストリームのパケット化されたデータを受信するとともにＩＰパケットに当該パケット化されたデータを挿入すること、
前記伝送ストリームに以前属した前記ストリーム局において前記ＩＰパケットをマルチキャストすること、
予め決められた申し込み局（ＬＮ0,0）において前記申し込み情報のファイルをマルチキャストすること、および
申し込みのそれぞれについて、前記申し込みに属する前記サービスプロバイダ申し込み局において一致するストリーム情報ファイルをマルチキャストすることをさらに有することを特徴とする請求項３〜５のいずれかに記載の放送方法。
【請求項７】
前記申し込みおよびストリーム情報のファイルは、それぞれ周期的にマルチキャストされることを特徴とする請求項６記載の放送方法。
【請求項８】
伝送ストリームのバンドルを受信することに従い、ＩＰマルチキャストネットワークに接続されたセットトップボックス受信機における受信方法であって、
バンドルからの伝送ストリームは、
サービスプロバイダ申し込み局からマルチキャストストリーム情報（７０２，７０３）を得ること、
前記伝送ストリームに以前属したストリーム局（ＬＮ1,1−ＬＮ1,4，ＬＮ2,1−ＬＮ2,3）を決定するために前記ストリーム情報を処理すること、
前記ストリーム局からマルチキャストＩＰパケットを得ること、および
前記得られたＩＰパケットからパケット化されたデータを抽出し、前記伝送ストリームを得ることを有することを特徴とする受信方法。
【請求項９】
伝送ストリームのバンドルを受信することに従い、ＩＰマルチキャストネットワークに接続されたセットトップボックス受信機における受信方法であって、
バンドルの形式である１または複数の申し込み間における申し込みからの伝送ストリームは、
予め決められた申し込み局からマルチキャスト申し込み情報（７０１）を得ること、
前記申し込みに以前属したサービスプロバイダ申し込み局（ＬＮ0,1，ＬＮ0,2）を決めるために前記申し込み情報を処理すること、
前記決められたサービスプロバイダ申し込み局からマルチキャストストリーム情報（７０２，７０３）を得ること、
前記伝送ストリームに以前属したストリーム局を決定するために前記ストリーム情報を処理すること、
前記ストリーム局からマルチキャストＩＰパケットを得ること、および
前記得られたＩＰパケットからパケット化されたデータを抽出し、伝送ストリームを得ることを有することを特徴とする受信方法。
【請求項１０】
伝送ストリームのバンドルを受信することに従い、ＩＰマルチキャストネットワークに接続されたセットトップボックス受信機における受信方法であって、
バンドルの形式である１または複数の申し込み間における申し込みからの伝送ストリームは、
予め決められた申し込み局（ＬＮ0,0）からマルチキャスト申し込み情報（７０１）を得ること（８００）、
サービスプロバイダ申し込み局および申し込みに関するそれぞれの項目について当該項目のリストを得るために、前記申し込み情報を処理すること、
項目のそれぞれについて、前記項目に一致する前記サービスプロバイダ申し込み局からマルチキャストストリーム情報（７０２，７０３）を得ること（８０１）、
前記ストリーム情報を処理（８０１）し、伝送ストリームおよびそれぞれに関係するストリーム局に関する伝送ストリームリスト（８０２）を得ること、および
前記セットトップボックスに前記伝送ストリームのリストを記憶することを有することを特徴とする受信方法。
【請求項１１】
決められた伝送ストリーム（ＴＳX,Y）を要求すること（９００）、
前記伝送ストリームリスト（８０２）において前記決められた伝送ストリームに一致するストリーム局を見つけること（９０１）、
前記ストリーム局からマルチキャストＩＰパケット（９０３）を得ること（９０２）、および
前記得られたＩＰパケットからパケット化されたデータを抽出（９０４）し、前記決められた伝送ストリーム（９０５）を得ることを有することを特徴とする請求項１０記載の受信方法。
【請求項１２】
ＩＰマルチキャストネットワークを通じて伝送ストリームのバンドルの形式で受信したマルチメディアサービスに関する少なくとも１の申し込みを放送するための方法であって、
伝送ストリームのそれぞれについて、一致するパケット化されたデータについてのストリームを受信し、前記パケット化されたデータをＩＰパケットに挿入すること、および
伝送ストリームのそれぞれについて、前記ＩＰパケットを決められたストリーム局のそれぞれにマルチキャストすることを有することを特徴とする放送方法。
【発明の詳細な説明】
【技術分野】
【０００１】
本発明はＩＰネットワークに接続される加入者のバンドルに従うＤＶＢからのマルチメディア配信サービスに関する。このサービスは、ＩＰマルチキャストにより配信される。
【背景技術】
【０００２】
＜マルチメディアサービスの放送＞
例えばテレビ放送のような、デジタルマルチメディアサービスは、ケーブル会社、衛星事業者およびもちろん伝統的なアンテナを介した地上放送の受信のようなサービスプロバイダを通じて配信される。従来のケーブルサービスでは、加入者の居所に専用ケーブルを導入することが必要である。衛星放送サービスは、ユーザが衛星パラボラアンテナを居所の近くのどこかに配置させる必要がある。アンテナは、一般的に局地的なプログラムの受信に限定される。
【０００３】
図１は加入者へのデジタルマルチメディアサービスの配信に用いられるサービスプロバイダ１００および衛星放送／受信装置１０１を示す概略図を示す。
【０００４】
マルチメディアサービスは、セットトップボックス（ＳＴＢ）１０２または受信、デコードおよび放送サービスの処理を許容するその他の装置を備えた加入者に配信される。そのような装置の他の例は、パーソナルコンピュータまたはテレビ受像機に統合されたデコーダが挙げられる。ＳＴＢは、処理の結果としてＳＴＢの出力に生成される画像および音声を描画することを許容する音声放送ディスプレイ１０３に接続される。ＳＴＢは、例えばリモコン１０４またはキーボードのような制御インターフェイスを通じてユーザからの指示を受ける。これにより、ＳＴＢを指示することで、あるサービスから他のサービスへ切り替えることができる。例えば、あるテレビのチャンネルから他のチャンネルへと切り替えることができる。
【０００５】
サービスプロバイダは、例えば、衛星および地上放送に用いられるＤＶＢ−ＳＩ（ヨーロッパにおいて使用）およびＡＴＳＣ−ＰＳＩＰ（米国において使用）標準、またはＡＴＳＣ−ＰＳＩＰ標準に似ているがケーブルネットワークに適用されるＳＣＴＥ（米国において使用）等の広い範囲の標準に従って、申し込みフレームによるマルチメディアサービスを放送する。これら標準のそれぞれは、伝送ストリームにおけるサービス情報の使用を含む類似した機能性を有している。これらの標準は、よく知られており、その技術は記述されている。申し込みは、例えば、音声および／または映像プログラム、データサービスまたはアプリケーションのような、一般的に複数のサービスを形成する。それぞれのサービスは、よく知られるＭＰＥＧ−２標準に従ったデータパケットで送信される。データパケットは、伝送ストリームにおいて重合される。それゆえ、伝送ストリームは、前記申し込みの複数のサービスを配信するだろう。バンド幅の理由から、サービスプロバイダは、サービスを伝送すべき１の伝送ストリーム以上の使用を決定し、伝送ストリームのそれぞれは、予め決められた周波数で放送される。伝送ストリームは、地域標準準拠のバンドルの一部である。さらに伝送ストリームのそれぞれは、サービス情報（ＳＩ）のテーブルを含む。これは、例えば、サービスが決められた伝送ストリームを使用可能であることを指し示したり、伝送ストリームの周波数が放送されるものである。
【０００６】
受信、デコードおよびサービスの処理のために、ＳＴＢはＭＰＥＧおよび地域標準準拠である。ＳＴＢは、サービス情報を抽出および処理する。例えば、サービスの記述を検索し、その後、一致する伝送ストリームを調整し、データパケットをフィルタリングすることにより、サービスを選択することを可能とする。
【０００７】
＜ＩＰに基づくマルチキャスト＞
ＩＰに基づくマルチキャストは、インフラに依存し、様々なマルチメディアサービスオペレータおよびすべての想定される信号化技術からの相互作用のあるなしに関わらず、インターネットサービスプロバイダ（ＩＳＰ）が音声／映像内容のマルチキャスティングを命令する。図２を参照すると、例えば衛星パラボラアンテナ２００から受信される音声／映像内容は、ＩＳＰ２０１およびインターネット２０２上のマルチキャストによってＩＰ準拠フォーマットに縮約される。
【０００８】
ＩＰに基づくマルチキャストは、複数のサービスプロバイダの申し込みを容易に結合可能である。そして、それらのプログラムを配信システム（ケーブルネットワーク、衛星、地上波）の様々な形式において配信する。すべての申し込みは、結合され、インターネットを通じて加入者にもたらされる。したがって、加入者は１つのアクセス、すなわちインターネットへのアクセスのみを要求する。このことは、ＩＳＰおよび加入者の双方に対して柔軟性を有する。
【０００９】
ＩＰに基づくマルチキャストサービスプロバイダの加入者は、ＩＰ準拠ＳＴＢ２０３を有し、インターネットへの接続を要求する。インターネットへの接続の可能な方式には、ＰＳＴＮ電話回線、ＡＤＳＬ接続またはファイバーガラスやケーブルネットワークのような常設のブロードバンド接続が含まれる。
【００１０】
インターネットへの接続におけるバンド幅は、使用される接続方式に依存してかなり変更される。許容されるバンド幅の限界は、１つの局所（ＩＰアドレスおよびポート対）から例えば、決められたセットトップボックスは、加入した人に対してのみサービスを行う、加入されたＳＴＢの範囲へとサービスの限られた数を選択的にマルチキャストすることを許容するＩＰに基づくマルチキャストシステムの発展により助長されてきた。インターネット接続が許容される典型的なバンド幅は、従来のケーブルネットワークまたは衛星放送システムにおいて許容されるバンド幅より少なくとも１オーダ小さい大きさであることが多いことがある。
【００１１】
既知のＩＰマルチキャストネットワークにおいて、ＳＴＢは、局、すなわち、データがマルチキャストされるＩＰマルチキャストアドレスおよびポート対、に基づいて受信するデータのためのＩＳＰへの要求を送信する。この要求に対して、一致するＩＰデータパケットはＳＴＢに径路付けられる。
【００１２】
ＩＰに基づくマルチキャストの例は、ＷＯ９９／６３７５９号公報に記載されている。これに記載されたシステムは、セットトップボックスに連絡するために例えばＡＤＳＬ接続を用いたＩＰマルチキャストに基づく内容を放送することに用いられる。このシステムにより、放送テレビ信号を検索することができ、これらの信号をネットワークにより送信するためのＩＰフォーマットに構成（コンフィギュレーション）することができる。さらに、本システムは、加入者のテレビ信号へのアクセスを管理するための管理システムを含んでいる。加入者は対話型プログラムガイド（ＩＰＧ）を用いてテレビプログラムを選択してもよい。加入者はセットトップボックス（ＳＴＢ）を通じてＩＰＧにアクセスする。ＳＴＢの実行において、いくつかのメモリが特定の情報を記憶するために局地的に利用可能とされてもよい。または、その代わりに、すべてのＩＰＧがネットワークにおいて維持されてもよい。さらに、本システムは、ＳＴＢとは異なる、デジタルテレビマネージャ（ＤＴＶＭ）を有し、サービスの端と端との管理および集積された放送配信システムのリソースの管理を行う。
【００１３】
ＩＰＧに関連するＤＴＶＭは、は、加入者にテレビプログラムのためのブラウズをチャンネルする機能を提供する。ＩＰＧに配信されるデータは、顧客プロファイルのような多数のパラメータに基づいてプロバイダによって仕立てられる。
【００１４】
ＩＰに基づくマルチキャストシステムの他の例は、ＷＯ９９／３１８７１号公報に見つけられる。このシステムは、加入者のインターネット接続の限られたバンド幅が特に考慮されて設計される。１またはそれ以上の中央チャンネルサーバは、多様なコンテンツプロバイダから配信される利用可能なプログラミングサービスについての情報を収集する。チャンネルサーバは、チャンネルリストデータベースを維持する。利用可能な内容チャンネルの申し込みおよび加入者の識別および加入者ごとの許可チャンネルを保持する加入者のデータベースをたどる。加入者は、チャンネルサーバにプログラムについての要求を送信し、チャンネルサーバは、当該要求をチェックし、コンテンツプロバイダから加入者のＳＴＢにチャンネルプログラミングの流れを許可する。
【発明の開示】
【発明が解決しようとする課題】
【００１５】
ＷＯ９９／３１８７１号およびＷＯ９９／６３７５９号の両公報において、加入者は、プログラムの要求を受信し、処理するサーバと通信する。加入者のＳＴＢに対するプログラムの流れは、加入者の要求がサーバによって正当とみなされた場合にのみ可能となる。この機能を提供するために、サーバは、コンテンツプロバイダからチャンネル情報を処理し、加入者のデータベースを維持する必要がある。
【００１６】
加入者のインターネット接続のバンド幅は、ファイバーガラスネットワークや他の能力的な技術が発展するのに従って増大している。バンド幅は、従来のケーブルネットワークや衛星放送システムにおいて利用可能なバンド幅の値に匹敵する値に届くようになってきた。
【課題を解決するための手段】
【００１７】
本発明の第１の側面は、ＩＰマルチキャストテレビネットワークにおいて発見情報を分配するための方法を提供することである。本方法は、サービスプロバイダの申し込み項目およびＩＰマルチキャストネットワーク内におけるサービスプロバイダの申し込み局にリンクした申し込み情報をマルチキャストすることを有する。さらに、本方法は、前記サービスプロバイダ申し込み局において、ストリーム情報をマルチキャストすることを有し、前記ストリーム情報は、多数のサービスの伝送ストリームおよび前記ＩＰマルチキャストネットワーク内のストリーム地点にリンクする。
【００１８】
本発明の第２の側面は、１バンドルの伝送ストリームの形式で受信したマルチメディアサービスについての少なくとも１つの申し込みをＩＰマルチキャストネットワークにより放送する方法を提供することである。申し込みのそれぞれについて、決められたサービスプロバイダのＩＰマルチキャストネットワーク内における申し込み局が属性付けられる。申し込みごとに属したサービスプロバイダの申し込み局に対する関係を記述する申し込み情報のファイルが生成される。申し込みのそれぞれについて、伝送ストリーム情報は、伝送ストリーム情報は、伝送ストリームごとの伝送ストリーム標識を具備するバンドルから抽出される。さらに、本方法は、伝送ストリーム標識のそれぞれに対し、ＩＰマルチキャストネットワーク内の決められたストリーム局を属性付けること、および、それぞれの申し込みについて、伝送ストリームごとに属性付けられたストリーム局に対する関係を記述するストリーム情報のファイルを生成することを有している。
【００１９】
好ましくは、本方法は、申し込みごとに前記申し込み情報のファイルにおいてサービスプロバイダの申し込み記述を加えることを具備する。
【００２０】
さらに好ましくは、伝送ストリームごとに、一致するパケット化されたデータのストリームが受信され、前記パケット化されたデータがＩＰパケットに挿入される。ＩＰパケットは、伝送ストリームに予め属するストリーム局においてマルチキャストされ、申し込み情報のファイルは、予め決められた申し込み局においてマルチキャストされる。申し込みごとの一致するストリーム情報ファイルは、当該申し込みに属するサービスプロバイダ申し込み局においてマルチキャストされる。
【００２１】
本発明の第３の側面は、伝送ストリームのバンドルを受信し、ＩＰマルチキャストネットワークに接続されることにより、バンドルからの伝送ストリームをセットトップボックス受信機に受信するための方法を提供する。本方法は、サービスプロバイダ申し込み局からマルチキャストストリーム情報を得ること、伝送ストリームに予め属するストリーム局を決定すべくストリーム情報を処理すること、ストリーム局からマルチキャストＩＰパケットを得ること、および得られた伝送ストリームにより、得られたＩＰパケットからパケット化されたデータを抽出することを有する。
【００２２】
本発明の第４の側面は、伝送ストリームのバンドルを受信し、ＩＰマルチキャストネットワークに接続されることにより、バンドルの形式である１または複数の申し込み間の申し込みから伝送ストリームをセットトップボックス受信機において受信する方法を提供する。マルチキャスト申し込み情報は、予め決められた申し込み局から得られ、以前の申し込みに属する決められたサービスプロバイダの申し込み局を得るために処理される。マルチキャスト申し込み情報は、決められたサービスプロバイダ申し込み局から得られ、以前の伝送ストリームに属するストリーム局を決定すべく処理される。マルチキャストＩＰパケットは、ストリーム局から得られ、伝送ストリームを得ることによって得られたＩＰパケットから抽出したデータがパケット化される。
【００２３】
本発明の第５の側面は、伝送ストリームのバンドルを受信し、ＩＰマルチキャストネットワークに接続されることにより、バンドルの形式にある１または複数の申し込み間の申し込みから伝送ストリームをセットトップボックス受信機において受信する方法を提供する。マルチキャスト申し込み情報は、予め決められた申し込み局から得られ、項目リストを得るために処理される。項目のそれぞれは、サービスプロバイダ申し込み局および申し込みに関連する。項目のそれぞれについて、マルチキャストストリーム情報は、当該項目に一致するサービスプロバイダ申し込み局から得られ、伝送ストリームおよびそれぞれに関連するストリーム局についての伝送ストリームリストを得るために処理される。伝送ストリームリストは、セットトップボックスに記憶される。
【００２４】
好ましくは、決められた伝送ストリームが要求され、当該決められた伝送ストリームに一致するストリーム局が伝送ストリームリストの中から見つけられるように構成される。マルチキャストＩＰパケットは、ストリーム局から得られ、決められた伝送ストリームを得ることにより得られたＩＰパケットから抽出されたデータがパケット化される。
【発明を実施するための最良の形態】
【００２５】
以下、本発明は、添付図面を参照しつつ、より詳細に説明される。
【００２６】
＜一般的な概要＞
図３を参照すると、マルチメディアサービス事業者（ＭＳＯ）３００は、衛星、地上波およびケーブルによるマルチメディアサービス放送を選択する。図３における選択は、一例を示しており、示唆される組み合わせまたはその他の知られている放送手段との組み合わせにより変更されてもよい。マルチメディアサービスは、デジタルテレビ伝送ストリーム放送により、例えば、ＤＶＢ放送標準のような地域標準に従って、配信される。この段階において、伝送ストリームは、ＭＰＥＧ−２標準フォーマットである。ＭＳＯは、例えば、インターネットサービスプロバイダ（ＩＳＰ）３０１のような、ＩＰ配信ネットワーク事業者にＭＰＥＧ−２伝送ストリームを提供する。伝送ストリームは、ＩＳＰ３０１によりＩＰ縮約され、ＩＰブロードバンドネットワーク３０２上でマルチキャストされる。ネットワーク３０２は、例えば、インターネットまたは専用のＩＰネットワークである。加入者は、ＩＰブロードバンドネットワークに接続されるＳＴＢ３０３をそれぞれ有し、ＩＳＰ３０２からＩＰデータパケットを受信する。
【００２７】
例えば、ＭＳＯ３０４のような、ＩＳＰ３０２に伝送ストリームを提供する追加されたＭＳＯがあってもよい。
【００２８】
あるいは、ＩＳＰの代わりにＭＳＯのレベルで伝送ストリームをＩＰ縮約することも可能であり、マルチキャスト前のＩＳＰにＩＰ縮約された伝送ストリームを配信する。
【００２９】
ＭＳＯは、受信者側、すなわち、ＳＴＢ３０３側において、異なる伝送ストリームの位置決めを可能とするために必要な発見情報を生成する。より正確には、発見情報は、ＩＰマルチキャスト伝送ストリームを局地化するため、すなわち、ＩＰアドレスおよびＩＰパケットに一致するポートが受信される場所を知るために、ＳＴＢによって要求される。発見情報は、１または多くのテキストファイル、例えば、よく知られているＸＭＬテキストファイルフォーマットに挿入され、ＳＴＢ３０３についてのＩＰブロードバンドネットワーク３０２上でＩＰマルチキャストされる。典型的に、発見情報は、周期的にマルチキャストされる。
【００３０】
ＳＴＢ３０３は、ＸＭＬテキストファイルを受信し、発見情報を抽出し、発見情報を用いて伝送ストリームを選択するとともに、伝送ストリームがＩＰマルチキャストされる局を決定する。局からＩＰパケットを受信した後、ＭＰＥＧ−２伝送ストリームは、ＩＰパケット外に縮約される。受信した伝送ストリームまたは実際は他の伝送ストリームにより利用可能な現実のサービスを発見するのに必要なさらなる情報は、例えば、よく知られているＤＶＢ−ＳＩ標準のような伝送ストリームを放送するために用いられる地域標準において定義されるサービス情報に関する古典的な使用を通じてその後伝送ストリーム自身より得られる。
【００３１】
＜発見情報のためのデータモデル＞
図４Ａ，４Ｂ，４Ｃはそれぞれ発見情報のためのデータモデルを記述するのに用いられる構成要素の関係を図表構文で表している。
【００３２】
図４Ａは構成要素Ｅ１およびＥ２を表し、１の構成要素Ｅ１は、１または多数の構成要素Ｅ２に関係付けられる。
【００３３】
図４Ｂは１の構成要素Ｅ１が０、１または多数の構成要素Ｅ２に関係付けられる場合を表している。
【００３４】
図４Ｃは１の構成要素Ｅ１が１の構成要素Ｅ２から継承している場合を表している。
【００３５】
図５によると、ＭＳＯによって生じる発見情報のためのデータモデル、すなわち、ＭＳＯ発見情報５００が存在する。ボックス５００における情報は、０、１または複数のＭＳＯ申し込み５０１についての情報を具備している。例えば、図３の例による場合、２つのＭＳＯ３００，３０４は、ＭＳＯ発見情報に対する申し込みについての情報に貢献する。
【００３６】
図５を再び参照すると、ＭＳＯ申し込み５０１は、１または多数の発見情報５０２のソースと一致するだろう。発見情報５０２の性質は、ＩＰマルチキャストを通じて利用可能な伝送ストリームについての情報と一致するストリーム発見情報５０３における専門化として記述される。ストリーム発見情報５０３は、１または多くのストリーム局５０４に一致する。
【００３７】
発見情報５０２もまたストリーム発見情報５０３より他の形式の情報に一致するかもしれないことが分かる。これは、伝送ストリームより他のデータがＳＴＢに利用できる場合であろう。他のデータの１の例は、マルチキャストされているサービスについての発見情報である。すなわち、発見情報は、名前、所有者ＩＰアドレスおよびサービスのためのポート番号を有している。その他の例は、ビデオオンデマンドサービスに関する発見情報である。
【００３８】
＜ＤＶＢ伝送ストリームのためのＩＰマルチキャストシステム＞
図６に関して、ＤＶＢ伝送ストリームにＩＰ放送ネットワークを用いる加入者のＳＴＢをもたらすためのシステムを概略的に示すものである。
【００３９】
この例において、２の申し込み（申し込み１および申し込み２）が提供される。申し込みは、１またはそれ以上のＭＳＯ（図示せず）を通じて提供される。
【００４０】
申し込み１および２は、それぞれ、ＭＰＥＧ−２フォーマットで利用可能な伝送ストリームＴＳ1,1−ＴＳ1,4およびＴＳ2,1−ＴＳ2,3を包含する。ボックス６００におけるＩＰ縮約は、伝送ストリームを縮約するのに用いられ、その後、ＩＳＰ６０１によりＬＮ1,1−ＬＮ1,4およびＬＮ2,1−ＬＮ2,3によってそれぞれ参照されるストリーム局においてＩＰマルチキャストされる。
【００４１】
＜発見情報の例＞
図７によれば、発見情報が得られ、図６に示すシステムのためにマルチキャストされる例が概略的に与えられる。
【００４２】
申し込み情報に関する第１テーブル７０１は、申し込み１および２のそれぞれについて、ストリーム情報をマルチキャストする予定のサービスプロバイダ申し込み局ＬＮ0,1およびＬＮ0,2を指し示すように設けられる。
【００４３】
ストリーム情報に関する第２テーブル７０２および第３テーブル７０３は、申し込み１および２のそれぞれのために設けられる。それぞれのテーブルは、伝送ストリームおよびそれに対応するストリーム局のリストを保持する。
【００４４】
ストリーム情報テーブル７０２は、伝送ストリームＴＳ1,1−ＴＳ1,4およびそれに対応するストリーム局ＬＮ1,1−ＬＮ1,4のリストを保持する。
【００４５】
ストリーム情報テーブル７０３は、伝送ストリームＴＳ2,1−ＴＳ2,3およびそれに対応するストリーム局ＬＮ2,1−ＬＮ2,3のリストを保持する。
【００４６】
テーブル７０１−７０３は、ＩＰブロードバンドネットワーク（図示せず）を通じて順に送信されるように、ＸＭＬテキストファイルに挿入される。テーブル７０１は、ＳＴＢによって知られる予め決められた申し込み局ＬＮ0,0において周期的にマルチキャストされる。これによりＳＴＢは、伝送ストリームを得ることが要求される申し込み情報が得られる場所から知られるだろう。
【００４７】
テーブル７０２および７０３は、申し込み情報に関するテーブル７０１において示されるサービスプロバイダ申し込み局において、すなわち、サービスプロバイダ申し込み局ＬＮ0,1およびＬＮ0,2において、それぞれ周期的にマルチキャストされる。
【００４８】
＜ストリーム発見情報＞
図１０における表は、ストリーム発見情報に含まれる領域についてのさらなる例を示すものである。本領域についての以下の記述は、図１０が参照される。
【００４９】
ストリーム発見情報は、１または複数の伝送ストリーム（ＴＳ）についての情報を具備してもよい。
【００５０】
ＴＳのそれぞれについて、以下の領域が示される。すなわち、
・もとのネットワーク標識（Ｉｄ）、
・ＴＳのＩｄ、および
・局。
【００５１】
もとのネットワークＩｄは、ＴＳがＩＰマルチキャスト配信ネットワークを通じて配信するために変換される前に、ＴＳを初めに提供するのに用いられるネットワークを示すパラメータである。
【００５２】
ＴＳのＩｄは、伝送ストリームを示すパラメータである。
【００５３】
もとのネットワークＩｄおよびＴＳのＩｄの双方は、例えば、ＤＶＢサービス情報の一部としての局地的ＤＶＢ標準において用いられるパラメータである。
【００５４】
本例で表されたもとのネットワークＩｄおよびＴＳのＩｄの組み合わせにより、ＴＳのそれぞれがＩＰマルチキャストネットワークにおいて独自に区別することができる。それゆえ、ＴＳにおいて伝送され、サービスＩｄを有するサービスは、独自の径路「もとのネットワークＩｄ／ＴＳのＩｄ／サービスＩｄ」を通じて参照される。
【００５５】
局は、ＩＰマルチキャストネットワークにおけるＴＳの局地化を許容する情報を有する。局は、ＩＰマルチキャストアドレスおよびＴＳのポート番号を有する。
【００５６】
本例のより好ましい態様において、ストリーム発見情報は、伝送ストリームおよびストリーム発見情報のバージョン番号を指し示すバージョン番号を提供するＭＳＯのための識別子を有することとしてもよい。当該バージョン番号は、ストリーム発見情報に変更が生じたときごとに増加されるだろう。
【００５７】
＜ＳＴＢにおける発見情報の使用＞
ＳＴＢが例えば、ＭＰＥＧ−２伝送ストリームに関する処理のためのＤＶＢ準拠のような、地域標準に基本的に準拠することが分かっている。すなわち、地域標準は、ＤＶＢ伝送ストリームおよび一致するＤＶＢのＳＩサービス情報を処理する。このことは従来からよく知られており、ここではより詳細には述べない。
【００５８】
発明に係るＳＴＢが標準のＤＶＢに準拠するＳＴＢと比較した際の１つの相違点は、ＩＰブロードバンドネットワークにおけるストリーム局から伝送ストリームを得ることができることである。
【００５９】
それゆえ、関連するＤＶＢサービス情報を通じて決められるような、決められた伝送ストリームに位置されたサービスにアクセスすることを目的とするＳＴＢからの要求は、マルチキャストの申し込みから集められた発見情報およびストリーム情報に利用される。
【００６０】
伝送ストリームを要求する際、受信機は、ＤＶＢ−ＳＩにおけるものと同じ伝送ストリーム標識を用いる。しかし、テーブルから読み込まれた周波数のチューニングおよび伝送ストリームが受信されるときの周波数に一致させる代わりに、ＤＶＢバンドルにおける場合には、チューナは、マルチキャスト局のテーブルを調べて、伝送ストリームが得られるであろうＩＰアドレスおよびポート対（ストリーム局）を読み込む。
【００６１】
このテーブルは、マルチキャストの申し込みおよびストリーム情報からコンパイルされ、ＳＴＢに記憶される。
【００６２】
伝送ストリーム自身における伝送ストリームおよびＤＶＢサービス情報に関する以降の処理のすべては、従来技術に記載されたよく知られている方法に従って行われる。伝送ストリームが保持するＤＶＢサービス情報は、例えば、電子プログラムガイドを構築するのに用いられる。
【００６３】
ここで、申し込みおよびストリーム情報についての処理の例を、図８とともに説明する。本例は、図６および７に関して記載された申し込み１および２に基づいている。
【００６４】
ボックス８００において、ＳＴＢは、予め決められた申し込み局ＬＮ0,0においてテーブル７０１の申し込み情報を得る。ＳＴＢは、申し込み情報を処理し、それぞれの申し込み、すなわち、申し込み１および２について、ストリーム情報が得られるであろうサービスプロバイダ申し込み局ＬＮ0,1およびＬＮ0,2を抽出する。
【００６５】
ストリーム情報は、ボックス８０１においてサービスプロバイダ申し込み局から得られ、伝送ストリームがＩＳＰによってマルチキャストされるストリーム局をそれぞれの申し込みについて記入するテーブル８０２は、コンパイルされ、ＳＴＢに記憶される。
【００６６】
テーブル８０２は、ＳＴＢにより用いられ、どのストリーム局においてストリームが得られたかを識別する。これは、図９に例示される。伝送ストリームＴＳX,Yのための要求９００、例えば、ＳＴＢにおいて実行されるアプリケーションにより生じる要求の結果として、テーブル８０２（図８により知られる）は、ボックス９０１において調べられ、ストリーム局ＬＮX,Yが検索される。次のステップ９０２において、マルチキャスト伝送ストリームＴＳX,Yは、ＩＰパケット９０３の形式でストリーム局ＬＮX,Yから得られる。伝送ストリームのＭＰＥＧ−２パケットは、９０４においてＩＰ縮約を通じて抽出される。ＭＰＥＧ−２伝送ストリームは、９０６においてＳＴＢのＭＰＥＧ−２部分によりさらなる処理を行うために得られる。
【００６７】
本発明に係るより好ましい実施形態について図を参照しつつ説明したが、本発明はこれらの実施形態のみに限定されるものではなく、本発明の特許請求の範囲で定義される趣旨および範囲を逸脱しない範囲で様々な変更や改良が当業者によってなされることは言うまでもない。
【図面の簡単な説明】
【００６８】
【図１】従来におけるバンドルに従うＤＶＢを放送するためのネットワークシステムを示す図である。
【図２】従来におけるＩＰマルチキャスティングサービスのためのネットワークシステムを示す図である。
【図３】本発明に用いられるネットワークシステムの例を示す図である。
【図４Ａ】構成要素の関係についての構文図である。
【図４Ｂ】構成要素の関係についての構文図である。
【図４Ｃ】構成要素の関係についての構文図である。
【図５】本発明に係るデータモデルを示す図である。
【図６】本発明に係る伝送ストリームをマルチキャストするための例を示すための概念図である。
【図７】本発明に係る申し込みおよびストリーム情報の例を示すための概念図である。
【図８】本発明に係るＳＴＢにおける発見情報を処理することに関する例を説明するためのフローチャートである。
【図９】本発明に係るＳＴＢにおいて伝送ストリームを得ることを例示することに関する例を説明するためのフローチャートである。
【図１０】本発明に係るストリーム発見情報の例を説明するための表である。
【符号の説明】
【００６９】
７０１  申し込み情報
７０２，７０３  ストリーム情報
ＬＮ0,1，ＬＮ0,2  サービスプロバイダ申し込み局
ＴＳ1,1−ＴＳ1,4，ＴＳ2,1−ＴＳ2,3  マルチサービス伝送ストリーム
ＬＮ1,1−ＬＮ1,4，ＬＮ2,1−ＬＮ2,3  ストリーム局
ＬＮ0,0  申し込み局
【図１】
2005531178.tif 000003
【図２】
2005531178.tif 000004
【図３】
2005531178.tif 000005
【図４Ａ】
2005531178.tif 000006
【図４Ｂ】
2005531178.tif 000007
【図４Ｃ】
2005531178.tif 000008
【図５】
2005531178.tif 000009
【図６】
2005531178.tif 000010
【図７】
2005531178.tif 000011
【図８】
2005531178.tif 000012
【図９】
2005531178.tif 000013
【図１０】
2005531178.tif 000014
【国際調査報告】
2005531178.tif 000015
2005531178.tif 000016
2005531178.tif 000017